(57)【要約】【課題】  ダビングする際、動画像データの欠落を防ぐ。【解決手段】  操作者によりダビングスイッチが押下にされたか否かを判別する（Ｓ１３）。先ず、動画像の属性情報を示す属性情報画像が所定時間だけ、録画装置に送信する（Ｓ１４、Ｓ１５）。その後、記録媒体から再生された動画像を録画装置に送信する（Ｓ１６）。【選択図】  図２
2007134969.tif 000002
【特許請求の範囲】
【請求項１】
記録媒体に記録される動画像を再生する再生手段と、
当該動画像の属性情報を示す属性情報画像を生成する属性情報画像生成手段と、
当該記録媒体に記録される動画像のダビングを指示するダビング指示手段と、
当該ダビング指示手段の指示に応じて、当該属性情報画像を出力し、その後に、当該動画像を出力する出力手段
とを有することを特徴とする画像再生装置。
【請求項２】
更に、当該属性情報画像を出力する期間を設定する設定手段を具備することを特徴とする請求項１に記載の画像再生装置。
【請求項３】
当該属性情報は、撮影日時、題目、撮影者、撮影場所、撮影機器、著作権者、ダビング日時、ダビング操作者及び再生装置の機種情報のうちのいずれかの文字情報を含むことを特徴とする請求項１に記載の画像再生装置。
【請求項４】
当該属性情報は、当該動画像の代表画像を含むことを特徴とする請求項１乃至３の何れか１項に記載の画像再生装置。
【発明の詳細な説明】
【技術分野】
【０００１】
本発明は、動画像を再生する画像再生装置に関する。
【背景技術】
【０００２】
従来、２つのデジタルビデオ録画装置を使って動画像をダビングする場合、即ち、一方の装置で再生した動画像データを他方の装置で録画する場合、再生装置と録画装置を同期動作用の専用ケーブルで接続して、再生装置の再生と録画装置の録画を同期動作させる構成が、知られている（例えば、特許文献１参照）。
【０００３】
なお、最近の映像録画機器では、動画像を圧縮して記録する。例えば、ＭＰＥＧ２方式が広く採用されている。
【０００４】
動画像データを、ＭＰＥＧ２等で圧縮された状態のまま複製するダビング装置構成も公知であり、このようなデジタル伝送には、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４やＵＳＢ（Ｕｎｉｖｅｒｓａｌ  Ｓｅｒｉａｌ  Ｂｕｓ）等のデジタルインターフェース又はケーブルが使用可能である。
【特許文献１】特許０３５４６８５１号公報
【発明の開示】
【発明が解決しようとする課題】
【０００５】
ところで、従来のデジタルビデオ録画装置では、専用のケーブルと専用の通信プロトコルで再生装置と録画装置のダビング動作を同期させる方法が採用されているが、この場合、再生装置と録画装置が共に対応している必要があり、汎用的に利用できるものではない。仮に再生装置と録画装置が専用のケーブルや通信プロトコルに対応していたとしても、両者のメーカーが異なる場合等ではその挙動を完全に把握できないので、同期動作が行えたとしても、僅かなずれ程度は避けられない。これにより、動画像データをダビングする際には、ダビング開始直後のシーンの録画が欠落することがある。
【０００６】
また、ＭＰＥＧ２では、ＧＯＰ（ＧＲＯＵＰ  ＯＦ  ＰＩＣＴＵＲＥ）単位に、動画像が圧縮されるので、圧縮されたまま複製をする場合には、ＧＯＰ単位で複製を成功させる必要がある。特にＩ（イントラ）ピクチャは重要で、ＧＯＰの冒頭に存在する。このＩピクチャが欠落した場合、そのＧＯＰ全てが欠落することにもなる。ここで、上述したようなダビング時に同期させる方法を用いて、例えば、再生装置の再生開始と同時に録画装置に録画開始を指示したとしても、録画装置が録画開始の指示から実際に録画を開始するまでに時間がかかると、その間に再生装置から出力される圧縮動画像データが記録されないことになる。それがＭＰＥＧ２データであったならば、僅かな録画の遅れがＩピクチャの取りこぼしに繋がった場合、ＧＯＰ単位で記録を失敗することになる。図５に示す例では、このような要因からＧＯＰ１〜４の録画を失敗して、実際にはＧＯＰ５から記録された例を示している。
【０００７】
そこで、本発明は、上記問題点に鑑み、圧縮動画像データの複製の失敗の可能性を低減する画像再生装置を提示することを目的とする。
【課題を解決するための手段】
【０００８】
上記の目的を達成するために、本発明に係る画像再生装置は、記録媒体に記録される動画像を再生する再生手段と、当該動画像の属性情報を示す属性情報画像を生成する属性情報画像生成手段と、当該記録媒体に記録される動画像のダビングを指示するダビング指示手段と、当該ダビング指示手段の指示に応じて、当該属性情報画像を出力し、その後に、当該動画像を出力する出力手段とを有することを特徴とする。
【発明の効果】
【０００９】
本発明によれば、動画像の前に属性情報画像を出力するので、録画装置の起動が遅れても、正常に動画像を転送でき、動画像の記録の欠落を防ぐことができる。
【発明を実施するための最良の形態】
【００１０】
以下、図面を参照して、本発明の実施例を詳細に説明する。
【実施例１】
【００１１】
図１は、本発明の一実施例に係る撮像装置の構成ブロック図である。図１において、撮像装置１０は、デジタルビデオカメラ又はデジタルカメラ等である。撮像装置１０は、撮像部１２、信号処理部１４、画像メモリ１６、圧縮伸長部１８、記録処理部２０、記録媒体２２、ＣＰＵ２４、ワークメモリ２６、操作部２８、表示部３０、ビデオ入出力部３２、ビデオ端子３４、通信入出力部３６及び通信端子３８を具備する。また、ビデオ端子３４には、撮像装置１０で再生された画像データを録画する録画装置５０が接続する。
【００１２】
撮像部１２は、ＣＣＤセンサまたはＣＭＯＳセンサ等の撮像素子と、当該撮像素子の撮像面に被写体像を結像するレンズとを具備する。信号処理部１４はＡＧＣ（自動利得制御）、γ（ガンマ）変換及びＡ／Ｄ変換を具備し、画像信号に周知の処理を施し、アナログ画像信号をデジタル信号に変換する。画像メモリ１６は、信号処理部１４から出力される画像データを一時的に記憶する。
【００１３】
圧縮伸長部１８は、動画圧縮のためのＭＰＥＧ回路またはＭｏｔｉｏｎ  ＪＰＥＧ回路を具備し、画像データを圧縮符号化する。記録処理部２０は、記録媒体２２のインターフェースであり、記録媒体２２は、磁気テープ（ＤＶテープ）、ハードディスク、不揮発性のメモリカード又は記録可能光ディスク等である。
【００１４】
ＣＰＵ２４は、撮像装置１０の全体の動作を制御する。ワークメモリ２６は、ＣＰＵ２２が処理用に使用するメモリでもある。操作部２８はダイヤル、ボタンまたはスイッチ群等を具備し、撮像、再生及びダビングをＣＰＵ２４に指示するのにそれぞれ使用される撮像スイッチ、再生スイッチ及びダビングスイッチを具備する。また、操作部２８は、後述するデータ量を管理するメニュー画面の表示をＣＰＵ２４に指示するメニュースイッチを具備する。
【００１５】
表示部３０は液晶パネルまたは電子ビューファインダ等からなり、印加される動画像データの画像を画面上に表示する。
【００１６】
ビデオ入出力部３２は、ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）またはＰＡＬ（Ｐｈａｓｅ  Ａｌｔｅｒｎａｔｉｎｇ  Ｌｉｎｅ）等のビデオエンコーダを用いて、動画像データをＮＴＳＣ又はＰＡＬ形式のビデオ信号に変換し、当該ビデオ信号をビデオ端子３４から外部の録画装置５０に出力する。ビデオ端子３４はＳビデオ端子である。ビデオ入出力部３２は、ビデオ端子３４に外部のビデオ機器から供給されるビデオ信号を取り込むこともできるが、この機能は、本発明とは関係ないので、説明を省略する。
【００１７】
通信入力部３６は、ＩＥＥＥ１３９４又はＵＳＢ等からなる。通信端子３８は通信インターフェースである。通信端子３８からはＭＰＥＧ等で圧縮されたビデオ信号が出力される。録画装置５０が同様の通信端子を具備する場合、通信端子３８に録画装置５０を接続できる。すなわち、録画装置５０をビデオ端子３４に接続しても、通信端子３８に接続しても、所望のダビング動作が実行できる。
【００１８】
録画装置５０は、受信したビデオ信号を磁気テープ、ハードディスク装置、固体メモリ又は光ディスクに記録再生する装置、若しくは、録画機能を具備するパーソナルコンピュータ等からなる。
【００１９】
撮像装置１０の記録動作と再生動作を説明する。撮影モードでは、撮像部１２は、被写体の画像信号を出力する。撮像部１２の画像信号は、信号処理部１４を介して画像メモリ１６に書き込まれる。画像メモリ１６に記憶される画像は、定期的に読み出され、表示部３０の電子ビューファインダに印加される。ユーザは、表示部３０の電子ビューファインダに表示される画像を見て、撮像対象を確認できる。
【００２０】
そして、撮影モード中に、ユーザが撮像スイッチを押下すると、ＣＰＵ２４は、画像メモリ１６に格納される画像データを読み出し、圧縮伸長部１８に印加する。圧縮伸長部１８は、画像メモリ１６に書き込まれるフレーム又はフィールド画像を順次、ＭＰＥＧ方式又はＭｏｔｉｏｎ  ＪＰＥＧ方式で圧縮符号化する。圧縮伸長部１８で圧縮された動画像データは、記録処理部２０により記録媒体２２に記録される。
【００２１】
再生モードでは、ユーザが再生スイッチを押下すると、記録処理部２０を介して記録媒体２２から圧縮画像データが読み出され、圧縮伸長部１８に転送される。圧縮伸長部１８は記録媒体２２から読み出された圧縮画像データを伸長し、画像メモリ１６に格納する。画像メモリ１６に記憶される再生画像は、定期的に読み出され、表示部３０の液晶パネルに印加される。液晶パネルは、再生画像を表示する。また、ビデオ端子３４からは、再生画像を伸長された状態のビデオ信号として、通信端子３８からは、再生画像を圧縮状態のデジタルビデオ信号として出力可能となっている。
【００２２】
次に、図２乃至図４を用いて、撮像装置１０から録画装置５０へのダビング動作を説明する。ダビング動作時は、撮像装置１０は再生モードとなる。図２は、撮像装置１０の動作フローチャートである。図３は、属性情報画像データの表示例である。図４（ａ）は、撮像装置１０の転送処理のシーケンス動作を示し、図４（ｂ）は、録画装置５０の記録処理のシーケンス動作を示す。図４では、圧縮画像データの状態でダビングする場合への適用を考慮して、本来の目的とする動画像（主画像）をＧＯＰの単位で図示してある。
【００２３】
本実施例では、撮像装置１０は、記録される動画像を送信する前に、当該動画像の属性情報（タイトル名、撮影日時及び撮影場所等）を示す画像、即ち属性情報画像を録画装置５０に送信する。ユーザが、属性情報画像の送信時間の手動設定を指示する場合には（Ｓ１０）、設定画面が表示され、ユーザは、所望の時間を設定できる（Ｓ１１）。そのような指示がなければ、デフォルト値が設定される（Ｓ１２）。属性情報画像の送信時間は、時間単位以外に、フレーム数又はフィールド数などであってもよいことは明らかである。
【００２４】
ユーザが撮像装置１０のダビングスイッチでダビング開始を指示するのを待機する（Ｓ１３）。通常、ユーザは、再生側の再生開始と、録画装置の録画開始を同時に操作するが、両者間に若干のタイムラグが生じ得るし、再生装置の再生動作の遅れや、録画装置の録画開始の遅れがあり、しかも、それぞれの遅れ時間は多様である。
【００２５】
ダビング開始の指示に応じて（Ｓ１３）、撮像装置１０は、ステップＳ１１又はＳ１２で設定された送信時間だけ、属性情報画像をビデオ出力端子３４から録画装置５０に出力する（Ｓ１４，Ｓ１５）。属性情報画像は、図３に例示するように、ダビングの目的とする画像の属性情報を示す画像であり、属性情報は、タイトル、撮影日時、撮影場所、撮影者、ダビング日時、ダビング操作者、撮像装置１０の製造番号又は代表画像からなる。図３（ａ）は、タイトル（題目）、撮影日時及び撮影場所等を含む属性情報画像の例を示す。図３（ｂ）は、撮像装置の製造番号及び著作権者を含む属性情報画像の例を示す。図３（ｃ）は、代表画像として最初の画面を表示する属性情報画像の例を示す。ステップＳ１４では、図３（ａ）〜（ｃ）に示す属性情報画像の何れかを継続的に録画装置５０に転送しても良いが、図３（ａ）〜（ｃ）に示す属性情報画像を順次、録画装置５０に転送してもよい。
【００２６】
属性情報画像を設定送信時間だけ送信すると（Ｓ１４）、目的の動画像をビデオ端子３４から録画装置５０に送信する（Ｓ１６）。そして、ユーザが再度、ダビングスイッチを押下することにより、ダビング動作の中止を指示するまで（Ｓ１７）、動画像の送信を継続する（Ｓ１６）。
【００２７】
再度、ダビングスイッチが押下されると（Ｓ１７）、動画像の再生を停止、送出を停止する（Ｓ１８）。
【００２８】
これまでアナログビデオ信号として伝送する実施例を説明したが、勿論、デジタル伝送でダビングする場合にも、本発明は適用可能である。デジタル伝送のダビングを行う場合は、通信端子３８から、例えばＭＰＥＧ圧縮されたデジタルビデオ信号を送信することになる。このとき、ダビング開始に応じて、再生されたＭＰＥＧ圧縮された動画像を示すデジタルビデオ信号を送信開始するのに先立って、上述した属性情報画像を圧縮伸長部１８でＭＰＥＧに圧縮して、その圧縮画像を設定送信時間分だけ送信する構成となる。
【００２９】
属性情報画像の送信時間の設定動作（Ｓ１０〜Ｓ１２）は、省略しても良いことは言うまでもない。
【００３０】
このように、本実施例では、再生装置側でダビング開始時に所定時間分、属性情報画像を送信するので、記録装置側の記録開始が遅延しても、本来の動画像を最初から支障なく録画できる。また、所定時間内であれば記録装置側の遅延時間が変化することにも対応できるので、様々な記録装置に対応可能である。さらに、アナログビデオ信号のダビング及びデジタルビデオ信号のダビングで共通に使用可能であり、汎用性のある送信形態を実現できる。
【００３１】
属性情報画像データの送出時間を任意に設定できるようにすることで、無駄な録画と、録画の欠落を防止できる。
【図面の簡単な説明】
【００３２】
【図１】本発明の一実施例に係る撮像装置の概略構成ブロック図である。
【図２】撮像装置１０の動作フローチャートである。
【図３】本実施例の属性情報画像の例である。
【図４】本実施例によるダビング動作のシーケンス図である。
【図５】従来のダビング動作のシーケンス図である。
【符号の説明】
【００３３】
１０  撮像装置
１２  撮像部
１４  信号処理部
１６  画像メモリ
１８  圧縮伸長部
２０  記録処理部
２２  記録媒体
２４  ＣＰＵ
２６  ワークメモリ
２８  操作部
３０  表示部
３２  ビデオ入出力部
３４  通信入出力部
３６  ビデオ端子
３８  通信端子
５０  パソコン
【図１】
2007134969.tif 000003
【図２】
2007134969.tif 000004
【図３】
2007134969.tif 000005
【図４】
2007134969.tif 000006
【図５】
2007134969.tif 000007